(57)【要約】【課題】バックルの挿通空間を進入したバンドが目立たないバンドとバックルのスライドアジャスタを提供する。【解決手段】本発明はバンドに形成した鋸歯状の係合溝にバックルの係合爪を係合可能としたバンドとバックルのスライドアジャスタであって、前記係合爪が前記係合溝に係止した状態では、バンドはバックルに接近自在であるが後退不能とされ、前記バックルは、対向する底板と天板および両者を接続する側板とからなり内部をバンドの挿通空間とされ、前記天板が前記バンドの進入方向に延伸されることにより前記挿通空間を進出したバンドが前記延伸された天板の下部に完全に隠れることを特徴とする。【選択図】図１
2014124488.tif 000002
【特許請求の範囲】
【請求項１】
バンドに形成した鋸歯状の係合溝にバックルの係合爪を係合可能としたバンドとバックルのスライドアジャスタであって、前記係合爪が前記係合溝に係止した状態では、バンドはバックルに接近自在であるが後退不能とされ、前記バックルは、対向する底板と天板および両者を接続する側板とからなり内部をバンドの挿通空間とされ、
前記天板が前記バンドの進入方向に延伸されることにより前記挿通空間を進出したバンドが前記延伸された天板の下部に完全に隠れることを特徴とするバンドとバックルのスライドアジャスタ。
【請求項２】
前記側板が前記バンドの進入方向に前記天板と同程度に延伸された請求項１記載のバンドとバックルのスライドアジャスタ。
【請求項３】
前記底板が前記バンドの進入方向に前記天板と同程度に延伸された請求項２記載のバンドとバックルのスライドアジャスタ。
【請求項４】
前記係合溝が前記バンドの外表面に設けられた請求項１〜３のいずれかに記載のバンドとバックルのスライドアジャスタ。
【請求項５】
前記係合溝が前記バンドの縁部に沿って形成された請求項１〜３のいずれかに記載のバンドとバックルのスライドアジャスタ。  
【発明の詳細な説明】
【技術分野】
【０００１】
この発明は、係合溝を有するバンドまたはベルトを係止するためのバックルに関し、特に、時計バンド、スマートフォンまたは携帯型ミュージックプレーヤー用のアームバンドまたはリストバンド、靴または靴用のバンドまたはベルトと一緒に用いられるバックルに関するものである。
【背景技術】
【０００２】
従来、バンド（またはベルト）に係合溝を設け、この溝にバックルのフックを弾性的に係合し、随時、この係止状態を解放可能とするバンドとバックルのスライドアジャスタが知られている。
この種のスライドアジャスタではバンドをバックルの挿通空間に進入させてサイズ調節を行うが、挿通空間を進入したバンドは外観に現れることになるので、係合溝に異物が混入する等して誤作動を起こす虞があった。また、バンドの係合溝が外観に現れるのでデザインの自由度が制限される。
【０００３】
本発明者らは、特許第４００５１０９号公報（特許文献１）において、特に服飾品等の用途として好適なバンドとバックルからなるスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けられたものを提案している。  
【０００４】
このスライドアジャスタは、バックル部が目立たないので帽子等の服飾品の内側に収めるスライドアジャスタとしては最適であるが、腕時計等のスライドアジャスタを露出する製品に適用した場合、バックルの挿通空間を進入したバンドを隠すことはできない。
【０００５】
また、本発明者は、特許第４３６８０２３号公報（特許文献２）において、バックル厚を薄くすることにより、可及的に表面が平坦なバックル付きバンドとして、バンドの一端部を他端部に設けた筒状のバックル内に挿通して周囲長を調節しつつ環状に接続されるバックル付きバンドであって、前記一端部の縁部を直線状としこの縁部に沿って鋸歯状の係合凹部をバンド内部に後退させて形成すると共に、前記バックルの挿通空間内に係合凸部を設け、該係合凸部と前記係合凹部が係止した状態では、前記バンドの一端部は前記挿通空間を進出自在であるが後退不能とし、さらに、該挿通空間の少なくとも前記係合凸部に近接する位置に、バンドの進出方向と直交する平面内におけるバンドの揺動を規制するガイドを設けてなるものを提案している。
【０００６】
このバックル付きバンドはバンド一端部の縁部を直線状とすることができるので、意匠面における自由度を増すことができるが、バックルの挿通空間を進入したバンド自体の露出は避けられない。  
【先行技術文献】
【特許文献】
【０００７】
【特許文献１】特許第４００５１０９号公報
【特許文献２】特許第４３６８０２３号公報
【発明の概要】
【発明が解決しようとする課題】
【０００８】
本発明は、バックルの挿通空間を進入したバンドが目立たないバンドとバックルのスライドアジャスタを提供することを目的とするものである。
【課題を解決するための手段】
【０００９】
本発明のスライドアジャスタは、バンドに形成した鋸歯状の係合溝にバックルの係合爪を係合可能としたバンドとバックルのスライドアジャスタであって、前記係合爪が前記係合溝に係止した状態では、バンドはバックルに接近自在であるが後退不能とされ、前記バックルは、対向する底板と天板および両者を接続する側板とからなり内部をバンドの挿通空間とされ、前記天板が前記バンドの進入方向に延伸されることにより前記挿通空間を進出したバンドが前記延伸された天板の下部に完全に隠れることを特徴とする。
【００１０】
前記側板が前記バンドの進入方向に前記天板と同程度に延伸されたことが好ましい。
前記底板が前記バンドの進入方向に前記天板と同程度に延伸されたことが好ましい。
【００１１】
前記係合溝が前記バンドの外表面に設けられたことが好ましい。
前記係合溝が前記バンドの縁部に沿って形成されたことが好ましい。
【発明の効果】
【００１２】
本発明のスライドアジャスタは、バンドの進入方向にバックルの天板が延伸されるので、バックルの挿通空間を進入したバンドが外観に現れない。而して、デザインの自由度が高くなると共にバンドのスライド時にその前端部が天板の下面に沿って進入するので、延伸された天板はスライドガイドや鞘としての役割も果たす。
【図面の簡単な説明】
【００１３】
【図１】本発明のスライドアジャスタの平面図（図１（１））と、同図のｚ−ｚ切断線における縦断側面図（図１（２）、（３））である。
【図２】スライドアジャスタの他の実施形態を示す斜視図（図２（１））と、バックルをバンドと平行な水平面で切断した平面図（図２（２）、（３））ある。
【図３】スライドアジャスタの別の実施形態を示す斜視図（図３（１））とその平面図（図３（２））および、図３（２）のｚ−ｚ切断線における断面図である。
【図４】図３に示すスライドアジャスタを腕時計に用いた状態を示す斜視図である。
【発明を実施するための形態】
【００１４】
以下、本発明に係るスライドアジャスタの実施形態を図面に基づいて説明する。
図１にはバンド１０とバックル２０からなる本発明のスライドアジャスタが示されており、図１（１）はその平面図、図１（２）は図１（１）のｚ−ｚ切断線における縦断側面図である。
【００１５】
これらの図において、所要の長さ、幅、厚みを有するバンド１０の外表面には、先端から末端にかけて鋸歯状の係合溝１２が形成され、係合溝１２の末端寄りには、指先が掛かる程度の大きさ・高さの掛止部１５が設けられている。掛止部１５は必ずしも設ける必要はないが、これを設けることによりバックル２０とバンド１０を片手の指先で引き寄せる操作が容易となる。
【００１６】
バックル２０は、底板２１、これに対向する天板２２、および底板２１と天板２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。また、天板２２はバンド１０の進出方向に延伸して天板２２ａとして形成されている。天板２２ａの延伸長は後記するように前記挿通空間２６を進出したバンド１０を隠すことができる程度の長さとすれば十分である。
【００１７】
バックル本体２４の内側には、その内に納まる大きさの操作片３０が水平に設置される。操作片３０の一端部の下面には、バンド１０の係合溝１２に係合可能な係合爪３１を突設しており、操作片３０の他端部は係合を解除するための押圧部３２とされる。操作片３０は天板２２より若干低位置とすることにより、操作片３０の一端部または押圧部３２が不用意に押し下げられることを防止することができる。
【００１８】
操作片３０の長手方向の中間部には、連結軸３５が形成され、この連結軸３５は各側板２３、２３の上部内壁に支承される。その結果、操作片３０は該中間部を支点として揺動自在とされる。
この実施形態では連結軸３５の断面を矩形としたが、円形、楕円形、その他種々の断面形状とすることができる。連結軸３５は操作片３０を揺動自在に軸支すると共に、滑らかな操作性を確保する為に可及的に細くすることが望まれるが、反復的な揺動により破損しない形状、大きさとすれば良い。
【００１９】
バックル２０は、可撓性を有する合成樹脂により成型することができ、特に、操作片３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２０】
続いて、上記スライドアジャスタの作用を説明する。図１（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００２１】
バンド３０を押圧部３２側（図１（２）において左側）からバックル本体２４の挿通空間２６内に進入させていくと、バンド１０の上面が操作片３０の係合爪３１に接触して、操作片３０の一端部（係合爪３１が形成された側）を押し上げながら前進し、バックル２０に対するバンド１０の接近・離隔位置が調節される。この状態では、図１（２）に示すように、係合爪３１が所定の係合溝１２と噛み合って係止しているので、バンド１０はバックル２０に対して進出自在であるが、後退不能である。
【００２２】
本実施形態では、バックル２０の天板２２がバンド１０の進入方向に延伸されているので、バックル２０の挿通空間２６を進入したバンド１０は延伸された天板２２ａの下部に完全に隠れる。したがって、バンド１０の係合溝１２に異物が混入して砂噛み等することを原因とする誤作動の虞がない。また、バンド１０の係合溝１２が天板２２ａの下に隠れるのでデザインの自由度が高くなる。さらに、バンド１０のスライド時にその前端部が天板２２ａの下面に沿って進入するので、天板２２ａはスライドガイドや鞘としての役割も果たす。
【００２３】
次に、バックル２０からバンド１０を後退させたり、引き抜いたりするには、押圧部３２を押圧すれば図１（３）に示すように、連結軸３５を中心として操作片３０が回転する結果、反対側に位置するする係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００２４】
続いて、スライドアジャスタの他の実施形態について、図２を参照しながら説明する。図２（１）はスライドアジャスタの斜視図であり、図２（２）、（３）はバックル２０をバンド１０と平行な水平面で切断した平面図であり、バックル２０の内部が示されている。
【００２５】
これらの図において、所要の長さ、幅、厚みを有するバンドの縁部には、先端から末端に向けて鋸歯状の係合溝１２が形成され、係合溝１２の末端よりには、指先が掛かる程度の大きさの掛止部１５が設けられている。バンド１０の長さ、幅および厚については、スライドアジャスタの使用目的により適宜決定される。
上記実施形態では、バンド１０の厚方向の中途まで係合溝１２を切欠いたが、当該切欠きをバンド１０の厚方向に完全に切欠いた係合溝１２とすることも可能である。また、係合溝１２はバンドの対向する縁部に対称的に形成しても良い。    
【００２６】
バックル２０の挿通空間２６には、前記係合溝１２と係合する係合爪３１を設ける。本実施形態では、バンド１０の縁部１２と平行に対向させて細長い操作片３０を配装し、操作片３０の一端部を係合爪３１としている。操作片３０の他端部は押圧部３２として係合爪３１と反対方向に膨出させ、バックル２０の側板２３に設けた小窓２７から突出させている。操作片３０はその長手方向の中程に連結軸３５を有し、該連結軸３５をバックル２０の天板２２および／または底板２１に支承することにより、操作片３０は中間軸３５の周囲に揺動自在となっている。
【００２７】
図２（２）に示すバンド１０の静止状態では、係合爪３１は係合溝１２に係止しているが、バンド１０を右方へ進出させれば、連結軸３５を中心として操作片３０が回転して、係合爪３１は係合溝１２から外れて隣の係合溝１２と噛み合う。バンド１０はこの動作を繰り返しながら、挿通空間２６を進出する。
【００２８】
本実施形態では、天板２２がバンド１０の進出方向に延伸され天板２２ａとして形成されると共に、側板２３、２３が天板２２ａと同様に延伸されて側板２３ａ、２３ａとして形成される。したがって、バックル２０の挿通空間２６を進入したバンド１０は延伸された側板２３ａ、２３ａにより側面からも完全に隠されることになる。また、バンド１０のスライド時にその縁部が延伸された側板２３ａ、２３ａに沿って進入するので、側板２３ａ、２３ａはバンド１０の進出方向と直交する平面内におけるバンド１０の揺動を規制するガイドとしての役割も果たす。
【００２９】
係合溝１２と係合爪３１の係合を解除して、バンド１０を前記進行方向と逆方向に後退させるには、図２（３）に示すように小窓２７から押圧部３５を軽く指で押せば良い。押圧部が付勢されて、連結軸３５を中心として操作片３０が回転する結果、反対側に位置する係合爪３１と係合溝１２との噛み合いが解除されるので、バンド１０を自由にスライドさせることができるようになる。  
【００３０】
次に、スライドアジャスタの別の実施形態について、図３および図４を参照しながら説明する。図３（１）はスライドアジャスタの斜視図、図３（２）はその平面図、図３（３）は図３（２）のｚ−ｚ切断線における断面図である。本実施形態では図３（１）に示すように、バンド１０の厚方向における中間部に係合溝１２を設けている。即ち、係合溝１２をバンド内部に後退させて形成し、バンドの縁部を直線状としている。したがって、バンド１０の長手方向におけるバンド幅が一定に確保されるので、バンドが容易には座屈しなくなる。また、鋸歯状に切除した形状が外観に現れないので、意匠面における自由度が増す（図３（２）参照）。
【００３１】
また、天板２２、側板２３、２３に加えて底板２１がバンド１０の進行方向に延伸され底板２１ａとして形成されているので、バックル２０の挿通空間２６を進出したバンド１０は、図３（３）に示すように延伸された天板２２ａ、側板２３ａ、２３ａ、底板２１ａにより四方向から覆われる。したがって、図４に示すように、本スライドアジャスタを腕時計等の腕部に装着する製品に用いた場合、腕時計等を腕部に装着したままスライドアジャスタを操作したときでも、延伸された底板２１ａが腕部と当接しているため、腕部がバンド１０のスライドを妨げることがなく、スムーズなスライド操作を確保することができる。
【符号の説明】
【００３２】
１０    バンド
１２    係合溝
１５    掛止部
２０    バックル
２１    底板
２１ａ  延伸された底板
２２    天板
２２ａ  延伸された天板
２３    側板
２３ａ  延伸された側板  
２４    バックル本体
２６    挿通空間
３０    操作片
３１    係合爪
３２    押圧部
３５    連結軸
【図１】
2014124488.tif 000003
【図２】
2014124488.tif 000004
【図３】
2014124488.tif 000005
【図４】
2014124488.tif 000006